(57)【要約】【課題】  強風の中でも簡単かつ確実に貼付フィルムを除去することができるようにする。【解決手段】  本考案の植設物保護用の貼付フィルム１は、長尺状に形成されたフィルム本体２を有し、該フィルム本体２の幅方向の両端部それぞれには、該フィルム本体２の長さ方向に延びる第一の粘着テープ５が、その一部を前記幅方向外方に突出するように貼り付けられてなっている。そして、フィルム本体２の幅方向の両側には、第一の粘着テープ５から該フィルム本体２の幅方向の内側へ間隔をおいて、該フィルム本体２の長さ方向に延びる第二の粘着テープ６が貼り付けられている。【選択図】      図１
0003105225.tif 000002
【実用新案登録請求の範囲】
【請求項１】
長尺状に形成されたフィルム本体の幅方向の両端部付近に粘着剤層が設けられた植設物保護用の貼付フィルムであって、
前記フィルム本体の幅方向の両側には、前記各粘着剤層から該フィルム本体の幅方向の内側へ間隔をおいて、該フィルム本体の長さ方向に延びる補強部が設けられた植設物保護用の貼付フィルム。
【請求項２】
前記補強部は、前記フィルム本体の長さ方向に延びるように貼り付けられた粘着テープからなる請求項１記載の植設物保護用の貼付フィルム。
【請求項３】
長尺状に形成されたフィルム本体を有し、該フィルム本体の幅方向の両端部それぞれには、該フィルム本体の長さ方向に延びる第一の粘着テープが、その一部を前記幅方向外方に突出するように貼り付けられてなる植設物保護用の貼付フィルムであって、
前記フィルム本体の幅方向の両側には、前記第一の粘着テープから該フィルム本体の幅方向の内側へ間隔をおいて、該フィルム本体の長さ方向に延びる第二の粘着テープが貼り付けられた植設物保護用の貼付フィルム。
【考案の詳細な説明】
【技術分野】
【０００１】
本考案は、植設物保護用の貼付フィルムに関するものである。
【背景技術】
【０００２】
葉たばこの種苗等の植設物の省力栽培技術としては、貼付トンネル栽培技術がある。この技術は、保温のために畝をマルチフィルムで被覆し、該マルチフィルムに設けられた透孔の位置に葉たばこ等の種苗を植えるとともに、該マルチフィルムの上から、種苗を覆うように貼付フィルムを被せ、該貼付フィルムの両側をマルチフィルムに貼り付けることにより行っている。そして、種苗が大きくなると、該種苗により貼付フィルムが押し上げられてトンネル状に形成されて行くが、種苗がある程度成長すると、その成長を阻害しないように畝から貼付フィルムを除去する必要がある。
【０００３】
従来の貼付フィルムとして、特許文献１記載の植設物の保護フィルムを例示する。この保護フィルム５１は、図５に示すように、その長手方向中央に折り込み部５２を有するとともに、その長手方向に間隔をおいて複数列の小孔５３を形成したフィルム本体５４と、このフィルム本体５４の両側端部に一部外方に突出するように貼付けられた粘着テープ５５からなっている（以下、「第一従来例」という。）。
【０００４】
この保護フィルム５１を畝Ｕを被覆したマルチフィルムＭから除去するには、例えば、畝Ｕの長さ方向の一端部において、フィルム本体５４の粘着テープ５５が貼り付けられた両側端部とフィルム本体５４との境界部付近を、ハサミで切るか手で少し破り、図６に示すように切った保護フィルム５１を長く伸ばして垂らして前方Ｆに歩きながら引っ張って剥ぐと、粘着テープ５５だけマルチフィルムＭの上に残してフィルム本体５４を剥がすことができる。このとき、保護フィルム５１を長く伸ばして垂らして歩くのが、最大のコツであり、垂らしが少ないと、剥いでいる最中に保護フィルム５１の切れ目がフィルム本体５４の幅方向中央方向にずれて行き、フィルム本体５４が途中で切れてしまうことがある。
【０００５】
また、特許文献１には、上記構成の保護フィルム５１において、フィルム本体５４の粘着テープ５５が貼り付けられた両側端部とフィルム本体５４との境界部付近にミシン目５６が施されている態様（図７参照）や、ミシン目５６を施す代わりにフィルム本体５４の一面又は両面に筋状の凹窪部を穿設した態様（図示略）も例示されている（以下、「第二従来例」という。）。この態様では、ミシン目５６や前記凹窪部においてフィルム本体５４を切断することによりマルチフィルムＭから容易に除去することができるようになっている。
【０００６】
【特許文献１】特開平７−１１１８３４号公報
【考案の開示】
【考案が解決しようとする課題】
【０００７】
ところが、前記第一従来例では、強風が畝の略側方から吹いてくると、長く伸ばした保護フィルム５１が強風により畝側方に流されてしまい、剥いでいる最中にフィルム本体５４の両側の切れ目がフィルム本体５４の幅方向中央方向にずれて行き、フィルム本体５４が途中で切れてしまうことがある。このため、途中で切れた部分において、前記境界部付近を、ハサミで切るか手で少し破り直して剥ぎ取り作業を再開する必要があり、作業効率が低下するという課題がある。しかも、前記境界部付近を破り直すときに、フィルム本体５４から分離した切れ端が種苗に付着し、種苗の生長を阻害したり、収穫物に混入したりするおそれもある。
【０００８】
これに対し、前記第二従来例では、ミシン目５６や前記凹窪部が設けられているので、保護フィルム５１の垂らしを少なくしてもミシン目５６や前記凹窪部においてフィルム本体５４を切断することもできるので、そうすれば剥ぎ取り中における強風の影響を少なくすることができる。しかし、フィルム本体５４にミシン目５６や前記凹窪部が設けられているため、通常の使用状態（マルチフィルムＭに貼り付けられ種苗を保護している状態）において、強風によってミシン目５６や前記凹窪部からフィルム本体５４が切断されてしまい、吹き飛ばされてしまうことがあるという課題がある。
【課題を解決するための手段】
【０００９】
上記課題を解決するために、本考案の植設物保護用の貼付フィルムは、
長尺状に形成されたフィルム本体の幅方向の両端部付近に粘着剤層が設けられた植設物保護用の貼付フィルムであって、
前記フィルム本体の幅方向の両側には、前記各粘着剤層から該フィルム本体の幅方向の内側へ間隔をおいて、該フィルム本体の長さ方向に延びる補強部が設けられている。
【００１０】
前記補強部としては、特に限定されないが、次の態様を例示する。
（１）前記フィルム本体の長さ方向に延びるように貼り付けられた粘着テープからなる態様。
（２）前記フィルム本体の長さ方向に延びるように突設された突条からなる態様。
【００１１】
また、本考案の植設物保護用の貼付フィルムは、
長尺状に形成されたフィルム本体を有し、該フィルム本体の幅方向の両端部それぞれには、該フィルム本体の長さ方向に延びる第一の粘着テープが、その一部を前記幅方向外方に突出するように貼り付けられてなる植設物保護用の貼付フィルムであって、
前記フィルム本体の幅方向の両側には、前記第一の粘着テープから該フィルム本体の幅方向の内側へ間隔をおいて、該フィルム本体の長さ方向に延びる第二の粘着テープが貼り付けられている。
【００１２】
前記第二の粘着テープは、前記フィルム本体における前記第一の粘着テープが貼り付けられた面と同じ面に貼り付けても良いし、反対側の面に貼り付けても良い。
【考案の効果】
【００１３】
本考案に係る植設物保護用の貼付フィルムによれば、強風の中でも簡単かつ確実に貼付フィルムを除去することができるという優れた効果を奏する。
【考案を実施するための最良の形態】
【００１４】
図１〜図３は本考案を具体化した一実施形態の植設物保護用の貼付フィルム１を示している。この貼付フィルム１は、長尺状に形成されたフィルム本体２を有し、該フィルム本体２の幅方向の両端部それぞれには、該フィルム本体２の長さ方向に延びる第一の粘着テープ５が、その一部を前記幅方向外方に突出するように貼り付けられてなっている。フィルム本体２は、その長さ方向に間隔をおいて複数列の穴３が設けられるとともに、その幅方向に左右一対の折り込み部４が形成されている。そして、フィルム本体２の幅方向の両側には、第一の粘着テープ５から該フィルム本体２の幅方向の内側へ間隔をおいて、該フィルム本体２の長さ方向に延びる第二の粘着テープ６が貼り付けられている。
【００１５】
フィルム本体２としては、貼付トンネル栽培に使用されるフィルムであれば、その材質、色、サイズ等は特に限定されない。フィルム本体２の材質としては、特に限定されないが、ポリエチレン、ポリプロピレン、軟質塩化ビニル樹脂等のを採用することができる。フィルム本体２の色としては、特に限定されないが、例えば、葉たばこの育成のためには太陽光線が透過することが好ましく、透明、半透明（色は特に限定されない。）等とすることを例示する。また、フィルム本体２のサイズとしては、特に限定されないが、厚さ約０．０１５ｍｍ、幅約０．５ｍ、長さ約２５０〜５００ｍに形成することを例示する。
【００１６】
第一の粘着テープ５又は第二の粘着テープ６としては、公知の粘着テープを適宜採用することができ、特に限定されないが、テープ基材７としての軟質樹脂製フィルムの一面に粘着剤８が積層されてなるものを例示する。第一の粘着テープ５と第二の粘着テープ６との間の距離としては、特に限定されないが、約３ｍｍに設定することを例示する。この第一の粘着テープ５の突出部位５ａにおける粘着剤８ａが、「長尺状に形成されたフィルム本体２の幅方向の両端部付近に設けられた粘着剤層」として作用し（図２参照）、第二の粘着テープ６が、「各粘着剤層から該フィルム本体２の幅方向の内側へ間隔をおいて、該フィルム本体２の長さ方向に延びる補強部」として作用するようになっている。
【００１７】
次に、この貼付フィルム１の使用方法について説明する。まず、図３に示すように、保温のために畝ＵをマルチフィルムＭで被覆し、該マルチフィルムＭに設けられた透孔Ｍａの位置に葉たばこ等の種苗Ｎを植えるとともに、該マルチフィルムＭの上から、種苗Ｎを覆うように貼付フィルム１を被せ、該貼付フィルム１の両側をマルチフィルムＭに貼り付ける。ここで、本考案の貼付フィルム１は、第二従来例の保護フィルム（図７参照）とは異なり、フィルム本体２にはミシン目や凹窪部等の強度を低下させる部分が設けられていないので、該強度を低下させる部分が強風により切断されてしまうという不具合は発生しない。
【００１８】
そして、種苗Ｎが大きくなると、貼付フィルム１が該種苗Ｎにより押し上げられてトンネル状に形成されて行くが、種苗Ｎがある程度成長すると、その成長を阻害しないように畝Ｕから貼付フィルム１を除去する必要がある。この貼付フィルム１を畝Ｕから除去するには、畝Ｕの長さ方向の一端部において、フィルム本体２の第一の粘着テープ５及び第二の粘着テープ６の間を、ハサミで切るか手で少し破り、図６における場合と同様に、切った貼付フィルム１を歩きながら引っ張って剥ぐと、第一の粘着テープ５をマルチフィルムＭの上に残してフィルム本体２を剥がすことができる。ここで、本考案の貼付フィルム１は補強部としての第二の粘着テープ６が設けられているので、切れ目が第二の粘着テープ６よりもフィルム本体２の幅方向内方にずれることがない。このため、図５に示す従来の保護フィルムとは異なり、長く伸ばして垂らさなくても第一の粘着テープ５及び第二の粘着テープ６の間で確実に切断することができる。また、剥いだフィルム本体２を長く伸ばして垂らさなくてもよいので、剥ぎ取り作業中に強風の影響を受けにくい。
【００１９】
以上詳述したように、本考案の植設物保護用の貼付フィルム１によれば、フィルム本体２の幅方向の両側には、第一の粘着テープ５から該フィルム本体２の幅方向の内側へ間隔をおいて、該フィルム本体２の長さ方向に延びる第二の粘着テープ６が貼り付けられているので、例え剥ぎ取り作業中に、強風が畝Ｕの略側方から吹いてきても、フィルム本体２の切れ目が第二の粘着テープ６よりもフィルム本体２の幅方向内方にずれることがない。従って、フィルム本体２を第一の粘着テープ５と第二の粘着テープ６との間において確実に切断することができ、剥いでいる最中にフィルム本体２が途中で切れてしまうことがない。
【００２０】
なお、本考案は前記実施形態に限定されるものではなく、例えば以下のように、考案の趣旨から逸脱しない範囲で適宜変更して具体化することもできる。
（１）第二の粘着テープ６を、フィルム本体２の下面に張ること。
（２）第一の粘着テープ５に代えて、フィルム本体２の下面における幅方向の縁部に粘着剤を直接積層したり、同縁部に両面粘着テープを貼り付けること。
（３）図４に示すように第一の粘着テープ５及び第二の粘着テープ６に代えて、ミシン目２５ａが設けられた粘着テープ２５をフィルム本体２の幅方向の両端部それぞれに貼り付けてなる貼付フィルム２１とすること。ここで、ミシン目２５ａは、粘着テープ２５において、フィルム本体２の上面に貼り付けられた部位に位置するようにする。この構成では、粘着テープ２５において、ミシン目２５ａよりもフィルム本体２の幅方向内側の部位が、前記補強部となっている。この貼付フィルム２１によっても上記実施形態と同様の効果を得ることができる。
（４）補強部を、フィルム本体２の長さ方向に延びるように突設された突条からなる態様とすること。
【図面の簡単な説明】
【００２１】
【図１】本考案を具体化した一実施形態に係る植設物保護用の貼付フィルムの一部を示す斜視図である。
【図２】図１のＩＩ矢視図である。
【図３】同貼付フィルムの使用状態を示す斜視図である。
【図４】変更例に係る同貼付フィルムの使用状態を示す斜視図である。
【図５】従来の貼付フィルムの一部を示す斜視図である。
【図６】同貼付フィルムの剥ぎ取り方法を示す側面図である。
【図７】従来の別の貼付フィルムの一部を示す斜視図である。
【符号の説明】
【００２２】
１    植設物保護用の貼付フィルム
２    フィルム本体
３    穴
４    折り込み部
５    第一の粘着テープ
６    補強部としての第二の粘着テープ
７    テープ基材
８    粘着剤
２１    植設物保護用の貼付フィルム
２５    粘着テープ
２５ａ  ミシン目
Ｍ    マルチフィルム
Ｎ    種苗
Ｕ    畝
【図１】
0003105225.tif 000003
【図２】
0003105225.tif 000004
【図３】
0003105225.tif 000005
【図４】
0003105225.tif 000006
【図５】
0003105225.tif 000007
【図６】
0003105225.tif 000008
【図７】
0003105225.tif 000009